(57)【要約】【課題】適応変調方式における変調モードの選択に関して、遅延によって生じる受信品質測定誤差が引き起こすエラー率の増加または伝送効率の低下を抑制する。【解決手段】受信側装置１０ａにおいて、受信品質測定部１０６が測定した受信品質のみならず、受信品質変動量測定部１０７が測定した受信品質の変動量をも、送信側装置２０ａに通知し、送信側装置２０ａの変調モード選択部２０８が受信品質および受信品質変動量に基づいて、変調モード（変調方式および符号化率）を選択し、この変調モードを用いて受信側装置１０ａへのデータ伝送を行う。変調モードの決定は受信側装置１０ａで行ってもよい。【選択図】図１
2005136773.tif 000002
【特許請求の範囲】
【請求項１】
送信側装置と受信側装置とを備え、送信側装置が受信側装置に対して適応変調方式を用いてデータを伝送する無線伝送システムであって、
受信側装置は、
前記送信側装置から受信された信号の受信品質を測定し、
受信品質の変動量を測定し、
測定された受信品質および受信品質の変動量を送信側装置へ通知し、
送信側装置において、
受信側装置から受信品質および受信品質変動量の情報を受信し、
受信した受信品質および受信品質変動量の情報に基づいて、変調方式および符号化方式の組み合わせにより決まる複数の変調モードの中から、所定の変調モードを選択し、
選択された変調モードによりデータの符号化および変調を行って、前記受信側装置へデータを送信する、
ことを特徴とする無線伝送システム。
【請求項２】
送信側装置と受信側装置とを備えた無線伝送システムにおいて送信側装置が受信側装置に対して適応変調方式を用いてデータを伝送する無線伝送システムであって、
受信側装置において、
前記送信側装置から受信された信号の受信品質を測定し、
受信品質の変動量を測定し、
測定された受信品質および受信品質の変動量に基づいて、変調方式および符号化方式の組み合わせにより決まる複数の変調モードの中から、所定の変調モードを選択し、
選択された所定の変調モードを送信側装置へ通知し、
送信側装置において、
前記受信側装置から通知された変調モードによりデータの符号化および変調を行って、前記受信側装置へデータを送信する、
ことを特徴とする無線伝送システム。
【請求項３】
送信側装置と受信側装置とを備えた無線伝送システムにおいて送信側装置が受信側装置に対して適応変調方式を用いてデータを伝送する無線伝送システムであって、
受信側装置において、
前記送信側装置から受信された信号の受信品質を測定し、
レイク受信の受信パス数およびフェージング周波数から、受信品質変動量を推定し、
測定された受信品質および受信品質の変動量に基づいて、変調方式および符号化方式の組み合わせにより決まる複数の変調モードの中から、所定の変調モードを選択し、
選択された所定の変調モードを送信側装置へ通知し、
送信側装置において、
前記受信側装置から通知された変調モードによりデータの符号化および変調を行って、前記受信側装置へデータを送信する、
ことを特徴とする無線伝送システム。
【請求項４】
送信側装置と複数の受信側装置とを備えた無線伝送システムにおいて送信側装置が受信側装置に対して適応変調方式を用いてデータを伝送する無線伝送システムであって、
各受信側装置において、
前記送信側装置から受信された信号の受信品質を測定し、
受信品質の変動量を測定し、
測定された受信品質および受信品質の変動量を送信側装置へ通知し、
送信側装置において、
各受信側装置から受信品質および受信品質変動量の情報を受信し、
受信した受信品質および受信品質変動量の情報に基づいて、各受信側装置へのデータの送信に対して、リソースの割当を制御し、
割り当てられたリソースにより当該受信側装置へデータの送信を行う、
ことを特徴とする無線伝送システム。
【請求項５】
前記送信側装置は、前記リソースの割当を制御する際、前記受信した受信品質および受信品質変動量に基づいて変調モードを選択するとともに、前記受信品質変動量に基づいて送信電力を制御することを特徴とする請求項４記載の無線伝送システム。
【請求項６】
前記送信側装置は、前記リソースの割当を制御する際、前記受信した受信品質に基づいて変調モードを選択するとともに、前記受信品質変動量に基づいて送信フレームの割当を制御することを特徴とする請求項４記載の無線伝送システム。
【請求項７】
送信側装置が受信側装置に対して適応変調方式を用いてデータを伝送する無線伝送システムにおける受信側装置であって、
前記送信側装置から受信された信号を受信する受信手段と、
受信された信号の受信品質を測定する受信品質測定手段と、
受信品質の変動量を測定する受信品質変動量測定手段と、
測定された受信品質および受信品質の変動量を送信側装置へ通知する送信手段と、
を備えたことを特徴とする受信側装置。
【請求項８】
送信側装置が受信側装置に対して適応変調方式を用いてデータを伝送する無線伝送システムにおける送信側装置であって、
受信側装置から受信品質および受信品質変動量の情報を受信する受信手段と、
受信した受信品質および受信品質変動量の情報に基づいて、変調方式および符号化方式の組み合わせにより決まる複数の変調モードの中から、所定の変調モードを選択する変調モード選択手段と、
選択された変調モードによりデータの符号化および変調を行って、前記受信側装置へデータを送信する送信手段と、
を備えたことを特徴とする送信側装置。
【請求項９】
送信側装置が受信側装置に対して適応変調方式を用いてデータを伝送する無線伝送システムにおける受信側装置であって、
前記送信側装置から受信された信号を受信する受信手段と、
受信された信号の受信品質を測定する受信品質測定手段と、
受信品質の変動量を測定する受信品質変動量測定手段と、
前記受信品質および受信品質変動量に基づいて、変調方式および符号化方式の組み合わせにより決まる複数の変調モードの中から、所定の変調モードを選択する変調モード選択手段と、
選択された所定の変調モードを送信側装置へ通知する送信手段と、
を備えたことを特徴とする受信側装置。
【請求項１０】
送信側装置が受信側装置に対して適応変調方式を用いてデータを伝送する無線伝送システムにおける受信側装置であって、
前記送信側装置から受信された信号を受信する受信手段と、
受信された信号の受信品質を測定する受信品質測定手段と、
フェージング周波数を検出するフェージング周波数検出手段と、
レイク受信の受信パス数および前記フェージング周波数から、受信品質変動量を推定する受信品質変動量推定手段と、
前記受信品質および受信品質変動量に基づいて、変調方式および符号化方式の組み合わせにより決まる複数の変調モードの中から、所定の変調モードを選択する変調モード選択手段と、
選択された所定の変調モードを送信側装置へ通知する送信手段と、
を備えたことを特徴とする受信側装置。
【請求項１１】
送信側装置が受信側装置に対して適応変調方式を用いてデータを伝送する無線伝送システムにおける送信側装置であって、
受信側装置から受信品質および受信品質変動量の情報を受信する受信手段と、
受信した受信品質および受信品質変動量の情報に基づいて、各受信側装置へのデータの送信に対して、リソースの割当を制御するリソース割当制御手段と、
割り当てられたリソースを用いて前記受信側装置へデータを送信する送信手段と、
を備えたことを特徴とする送信側装置。
【請求項１２】
前記リソース割当制御手段は、前記リソースの割当を制御する際、前記受信した受信品質および受信品質変動量に基づいて変調モードを選択するとともに、前記受信品質変動量に基づいて送信電力を制御することを特徴とする請求項１１記載の送信側装置。
【請求項１３】
前記リソース割当制御手段は、前記リソースの割当を制御する際、前記受信した受信品質に基づいて変調モードを選択するとともに、前記受信品質変動量に基づいて送信フレームの割当を制御することを特徴とする請求項１１記載の送信側装置。
【発明の詳細な説明】
【技術分野】
【０００１】
本発明は、適応変調方式を採用した無線伝送システムならびにそのシステムにおける送信側装置および受信側装置に関するものである。
【背景技術】
【０００２】
従来、移動通信システムのような無線伝送システムにおける情報伝送を効率的に行う方法として、適応変調方式があり、Ｗ−ＣＤＭＡ(Wideband Code Division Multiple Access)、ＨＳＤＰＡ( High Speed Downlink Packet Access）等が標準化されている。通常、適応変調方式では、受信器の受信品質（ＳＩＲ：Signal to Interference Ratio）を測定して送信側へ通知し、送信側ではパケットを送信する際、その受信品質に応じて変調モード（変調方式、符号化率）を選択する。このように受信品質に応じて適応的に変調モードを選択してパケット送信を行うことにより、通信効率を向上させている。
【特許文献１】特開２００３−１９８４２６号公報
【発明の開示】
【発明が解決しようとする課題】
【０００３】
しかし、実際には、受信品質の測定時間や、受信品質の通知等に要する時間によって遅延時間（受信品質の測定時刻と、パケット受信時刻の差）が生じ、その間に伝搬路特性が変動し、受信品質が変化してしまう。したがって、送信時に選択された変調モードが、実際にパケットを受信した時の受信品質に合わないため、ＢＬＥＲ（＝パケットのエラー率）および伝送効率が低下する問題点がある。
【０００４】
図１に、適応変調制御の遅延と受信品質の変動の様子を模式的に示す。この図では、受信品質の測定（推定）と、パケット送信の制御遅延が３フレームとなる場合を示している。たとえば、受信側でフレーム１で受信品質を測定し、送信側では、フレーム４でその受信品質を反映した適応変調を行う場合、図中の瞬時受信品質変動量の分だけ受信品質に変動が生じている。このような場合、フレーム１で測定された受信品質を基に変調モードを決定すると、実際にフレーム４で送信した場合は受信品質が低下しているため、パケットに誤りが生じてしまう。このように、受信品質適用までの遅延時間に対して、受信品質の変動が速い場合、パケットに誤りが生じ、ＢＬＥＲが劣化してしまう問題点があった。また、受信品質の変動によってエラーが生じてしまった場合、そのパケット送信が無駄となり、スループットが低下し、通信効率が低下してしまう問題点があった。
【０００５】
本発明は、このような背景においてなされたものであり、その目的は、適応変調方式における変調モードの選択に関して、遅延によって生じる受信品質測定誤差が引き起こすエラー率の増加または伝送効率の低下を抑制することができる無線伝送システム、送信側装置および受信側装置を提供することにある。
【課題を解決するための手段】
【０００６】
本発明では、受信側装置における受信品質のみならず受信品質変動量に応じて、複数の変調モードの中から所定の変調モードを選択する。具体的には、受信品質変動量が大きい場合は、受信品質によって最適とされる変調モードより低レートのモードを選択する。このように受信品質および受信品質変動量に基づいて変調モードを選択することで、ＢＬＥＲの増大を防ぎ、再送によるデータ伝送遅延を軽減することが可能となる。なお、変調モードの選択は、受信側装置から受信品質および受信品質変動量の情報を受けて送信側装置で行う場合と、受信側装置で行い、得られた変調モードを送信側装置へ通知する場合とがありうる。
【０００７】
また他の本発明では、受信側装置の受信品質変動量に応じて、受信器に割り当てるリソース（送信電力および無線フレーム）を制御する。具体的には、受信品質変動量の小さい場合、受信側装置に対しては無線リソース（送信電力および無線フレーム）を多く割り当て、受信品質変動の大きい場合は、割り当てる無線リソース（送信電力および無線フレーム）を小さくする。
【発明の効果】
【０００８】
本発明によれば以下のような種々の効果が得られる。
・データ伝送のエラー率が下がり、再送頻度を抑制できる。
・再送頻度を抑制できることにより、データの伝送遅延が小さくなる。
・複数の受信側装置の受信品質変動量の相対関係に応じて、リソースを割り当てることにより、受信品質の変動によって生じるエラーのリスクを軽減し、同時に多重して行われている通信全体でのエラー率を低減することができる。またエラー率を低減することで再送頻度が減り、効率的な通信が可能となる。
・送信電力を低減することができ、電力消費を抑えられる。
・送信電力低減することで、受信側装置での干渉量を抑えられる。
・受信品質変動によるエラーのリスクを低減することができ、システム全体のスループットが向上できる。
【発明を実施するための最良の形態】
【０００９】
以下、本発明の好適な実施の形態について、詳細に説明する。
【００１０】
＜実施の形態１＞
図２に、本発明の実施の形態１による無線伝送システムとしてのパケット伝送システムのシステム構成を示す。このパケット伝送システムは、受信側装置１０ａと送信側装置２０ａとからなる。
【００１１】
受信側装置１０ａでは、アンテナ１０１から無線信号が入力される。この無線信号はアンテナ共用部１１３を介して受信無線部１０２でベースバンド信号に変換され、復調部１０３へ入力される。復調部１０３では、逆拡散、検波が行われ、復号部１０４では誤り訂正復号が行われ受信データとして出力される。Ｗ−ＣＤＭＡ方式では、共通パイロットチャネル（ＣＰＩＣＨ）において、送受で既知のシンボルが送信されている。受信品質測定部１０６では、このＣＰＩＣＨの受信シンボルを復調部１０３より得て、受信品質（ＳＩＲ）の測定を行う。受信品質測定部１０６からは、毎フレーム受信品質が出力される。受信品質測定部１０６から出力される受信品質をＳＩＲ［ｋ］と示す。ここにｋはフレーム番号を表す。
【００１２】
受信品質変動量測定部１０７では、受信品質測定部１０６で測定された受信品質（ＳＩＲ）の変動量（受信品質変動量）を測定する。受信品質変動量は各フレームごとの受信品質変動量の標準偏差として計算する。この測定は適応変調の制御遅延を考慮して行われる。
【００１３】
次に受信品質変動量Ｄの演算方法を示す。
Ｄｉ［ｋ］＝ＳＩＲ［ｋ］−ＳＩＲ［ｋ−Ｌ］      …（１）
Ｄｂ［ｋ］＝（１／Ｎ）（Ｄｉ［ｋ］2＋Ｄｉ［ｋ−１］2＋…＋Ｄｉ［ｋ−Ｎ＋１］2）  …（２）
Ｄ［ｋ］＝ｓｑｒｔ（Ｄｂ［ｋ］）              …（３）
【００１４】
ここで、Ｌは、適応変調の制御遅延（フレーム数）を表しており、図１の例では、３［フレーム］となる。式（１）のＤｉは、瞬時的な受信品質変動量をあらわしており、１測定フレームでの変動量である。式（２）のＮは変動量の平均化フレーム数である。式（２）のＤｂはＤの分散を求めたものである。式（３）のＤはＤｂの標準偏差を求めたものである。
【００１５】
送信フレーム生成部１１０では、送信データと共に、受信品質（ＳＩＲ）、受信品質変動量（Ｄ）を基に送信フレームを構成し、変調部１１１へ入力する。変調部１１１でデータ変調、拡散変調が行われ、その後無線信号へ変換されて、アンテナ共用部１１３を経由しアンテナ１０１より送信される。
【００１６】
他方、送信側装置２０ａでは、受信側装置１０ａと同様に、アンテナ２０１およびアンテナ共用部２１３を経由して、受信無線部２０２および復調部２０３で、受信した無線信号の変換・信号処理を行って、データを復調する。続く復号部１０４では、通常のデータ復号と共に、受信側装置１０ａから送られている受信品質（ＳＩＲ）および受信品質変動量（Ｄ）も復号し、変調モード選択部２０８へ入力する。変調モード選択部２０８では、送られてきた受信品質（ＳＩＲ）および受信品質変動量（Ｄ）を基に、パケット送信時に適用する変調モードを選択し、符号化部２１０および変調部２１１に制御信号を出力する。表１に変調モード一覧表を示す。
【００１７】
【表１】
2005136773.tif 000003
【００１８】
この表１では、変調モード番号が付された異なる変調モード毎に、変調方式および符号化率の組み合わせが割り当てられ、また、その所要ＳＮ［ｄＢ］が規定されている。
【００１９】
従来であれば、受信品質（ＳＩＲ）に応じて表１のような関係を定めたデータテーブルより変調モードを選択するが、本発明では、受信品質（ＳＩＲ）に加えて受信品質変動量（Ｄ）についても、変調モード選択に利用する。
【００２０】
表２に、本発明で用いる変調モード選択対応表を示す。
【００２１】
【表２】
2005136773.tif 000004
【００２２】
この表２には、受信品質（のランク）および受信品質変動量（のランク）に応じて、採用すべき変調モード番号（表１）が予め定められている。この例では、受信品質が高いほど比較的データレートの高い（変調モード番号が大きい）変調モードを選択するとともに、受信品質変動量が大きいほど比較的データレートの低い（変調モード番号が小さい）変調モードを選択するように構成されている。変調モード選択部２０８は表２のような変調モード一覧表のデータテーブルを有し、これを参照して変調モードを決定する。決定された変調モードは受信側装置１０ｂに通知される。
【００２３】
符号化部２１０では、変調モード選択部２０８で選択された変調モードの符号化レートに従って、送信データの誤り訂正符号化を行う。また変調部２１１では、選択された変調モードの変調方式に従って、符号化部２１０から出力されたデータに対してデータ変調および拡散変調を行う。変調された送信データは送信無線部２１２により無線周波数に変換され、アンテナ共用部２１３およびアンテナ２０１を介して送信される。
【００２４】
このように、受信品質変動量に応じて、変調モード選択を調整することで、ＢＬＥＲを抑制し、再送頻度を抑えることが可能となる。
【００２５】
＜実施の形態２＞
図３は、本発明の実施の形態２のシステム構成を示したものである。このパケット伝送システムは、受信側装置１０ｂと送信側装置２０ｂとからなる。実施の形態１と同様の構成要素には同様の参照符号を付してある。図２と異なる点は、図２の送信側装置２０ａ側に存在した変調モード選択部２０８と同じ機能を有する構成要素として、変調モード選択部１０８が受信側装置１０ｂに存在することである。この場合、受信側装置１０ｂから受信品質（ＳＩＲ）と受信品質変動量（Ｄ）とを送信する代わりに、それらに基づいて決定された変調モードを送信側装置２０ｂに通知する。そのため、変調モード選択部１０８も設け、変調モードを送信フレーム生成部１１０に入力する。他の動作は図２の構成と同じである。
【００２６】
この実施の形態によれば、受信品質（ＳＩＲ）と受信品質変動量（Ｄ）の代わりに変調モードを通知することにより、通知に必要な情報量を削減できる。
【００２７】
＜実施の形態３＞
図４は、本発明の実施の形態３のシステム構成を示したものである。このパケット伝送システムは、受信側装置１０ｃと送信側装置２０ｃとからなる。実施の形態１および２と同様の構成要素には同様の参照符号を付してあり、異なる点のみ説明する。実施の形態３では、受信品質変動量を受信品質の統計量として算出するのではなく、レイク受信の受信パス数およびフェージング周波数から、受信品質変動量を推定する。そのため、受信側装置１０ｃにおいて、フェージング周波数検出部１０９と、受信品質変動量測定部１０７を設けている。受信品質変動量測定部１０７は、復調部１０３から受信パス数の情報を受けるとともに、フェージング周波数検出部１０９からフェージング周波数の情報を受けて、受信品質変動量を求め、これを変調モード選択部１０８に入力する。
【００２８】
フェージング周波数検出部１０９によるフェージング周波数（最大ドップラ周波数）の測定方法としては、図５に示すように、フェージングレベルの中央値を基準として、フェージング変動により受信レベルがその基準を交差する回数を測定し、単位時間当たりの交差回数を求めることにより推定可能である。他の動作は図３の構成と同じである（特許文献１参照）。
【００２９】
図６は、パス毎の受信品質の変化と、２つのパスを合成した後の受信品質の変化を示したものである。図７（ａ）（ｂ）に示すように、ダイバーシチ効果により、２つのパスを合成した後の受信品質の変動は、１つのパスのみの受信品質の変動に比較して変動が小さい。つまり、受信・合成しているパス数が多いほど受信品質の変動が小さくなる。また、フェージング周波数（フェージング周波数検出部１０９により得られる）が大きければ、適応変調の制御遅延時間に対する受信品質の変動は大きく、フェージング周波数が小さければ受信品質の変動は小さいことが明らかである。これらのことから、受信パス数とフェージング周波数から、受信品質変動量を推定することが可能であることが分かる。
【００３０】
表３に、最大ドップラ周波数および受信パス数から、受信品質変動量を得るための具体的な変換表の例を示している。受信品質変動量測定部１０７は、この変換表のようなデータテーブルを有し、これを参照して受信品質変動量を出力する。
【００３１】
【表３】
2005136773.tif 000005
【００３２】
＜実施の形態４＞
図８は、本発明の実施の形態４のシステム構成を示したものである。このパケット伝送システムは、受信側装置１０ｄと送信側装置２０ｄとからなる。実施の形態１と同様の構成要素には同様の参照符号を付してあり、異なる点のみ説明する。実施の形態４は、受信側装置１０ｄについては実施の形態１と同一である。
【００３３】
送信側装置２０ｄについて説明する。送信側装置２０ｄでは、受信側装置１０ｄと同様に受信した無線信号の変換・信号処理を行って、データを復号する。本実施の形態では複数の受信側装置１０ｄから送られている信号を同時に復調・復号できるように、複数の復調部２０３および復号部２０４を備えている。復号部２０４では、各受信側装置１０ｄから送信されている通常のデータ復号と共に、受信側装置１０ｄから送られている受信品質（ＳＩＲ）および受信品質変動量（Ｄ）も復号し、リソース割当制御部２０５へ入力する。
【００３４】
リソース割当制御部２０５は、図９で示した処理を実行する。この図に基づいてリソース割当制御部２０５の処理を次に説明する。
【００３５】
（ステップＳ１１）変調モードの選択
リソース割当処理が開始されると、まず、受信品質に基づいて、変調モードＳＮにより、所要ＳＮ＜ＳＩＲを満たす変調モード番号が最大の変調モードを選択し、その変調モード番号をＭとする。
【００３６】
つぎに、表４より、受信品質変動量Ｄから、調整量Ｋを求め、実際のパケット送信に用いる変調モードＭ’を次のように決定する。
Ｍ’＝Ｍ−Ｋ
ここで、Ｍ’が負になる場合はＭ’＝０とする。
【００３７】
表４は次のとおりである。リソース割当制御部２０５は、表４のようなデータテーブルを有し、これを参照して調整量Ｋを得ることができる。
【００３８】
【表４】
2005136773.tif 000006
【００３９】
（ステップＳ１２）送信電力の計算
次に、変調モード番号Ｍ’の所要ＳＮをＱ’［ｄＢ]  とし、変調モード番号Ｍの所要ＳＮをＱ［ｄＢ]  とする。これらの値より実際のパケット送信に用いる送信電力Ｐ’を次のように決定する。
Ｐ’＝（Ｑ’−Ｑ）＋Ｐ［ｄＢｍ]      …（４）
ここでＰは、基準となる送信電力（単位はｄＢｍ）であり、受信品質変動が無い場合のパケット送信電力となる。対数でなく真値で考慮すればＰ’＝（Ｑ’／Ｑ）×Ｐ［ｍＷ］となるが、両辺の対数をとれば式（４）の関係となる。受信品質変動量に応じて低い変調モードを選択するので、Ｑ’＝ＱまたはＱ’＜Ｑとなる。例えばＱ’−Ｑ＝−３［ｄＢ］であれば、Ｐ’＝Ｐ−３［ｄＢｍ]  となり、本発明の変調モード調整を行わない場合に比べて、３ｄＢ低い電力で送信を行うこととなる。
【００４０】
（ステップＳ１３）変調部と符号化部へ設定
ステップＳ１１で決定された変調モードＭ’に応じて、符号化部２１０および変調部２１１へそれぞれ符号化レートと変調方式を設定する。また、ステップＳ１２で決定された送信電力Ｐ’を送信無線部２１２へ設定する。
【００４１】
このようにしてリソース割当処理が終了する。
【００４２】
図１０に、送信パケットと、受信品質変動量の変化の例を示す。図１０では、受信品質変動量が増加するにつれて、変調モードの適応性が損なわれるため、エラーが生じ、そのパケットに用いた無線リソースが無駄になってしまう。本発明では、受信品質の変動が大きくエラーのリスクが大きい場合は、パケットの送信時の送信電力を下げる。つまり、エラーのリスクが大きい場合は無線リソース（送信電力）の割当てを少なく抑えることができる。ＣＤＭＡでは、このように制御することにより、送信電力が低く抑えられるため干渉量を低減させることができる。
【００４３】
実施の形態４のような制御を行った場合、図１１に示すように、受信品質変動量（Ｄ）が大きな受信側装置に対しては、送信電力を小さくし無駄な送信電力の消費を抑えると共に、受信側装置における干渉を低下させることができる。
【００４４】
＜実施の形態５＞
図１２は、本発明の実施の形態５のシステム構成を示したものである。このパケット伝送システムは、受信側装置１０ｅと送信側装置２０ｅとからなる。実施の形態１、４と同様の構成要素には同様の参照符号を付してあり、異なる点のみ説明する。実施の形態５は、受信側装置１０ｅについては実施の形態１、４と同一である。本実施の形態では、図１３に示すように、一つの送信側装置２０ｅが複数の受信側装置（Ａ，Ｂ）１０ｅに対してパケットサービスを行うことを想定している。
【００４５】
本実施の形態における送信側装置２０ｅについて説明する。この送信側装置２０ｅは、複数の送信データバッファ２０６とセレクタ２０７とを設けている。送信側装置２０ｅでは、実施の形態４と同様、複数の受信側装置１０ｅから送られている信号を同時に復調・復号できるように、複数の復調部２０３および復号部２０４を備えている。復号部２０４では、各受信側装置１０ｅから送信されている通常のデータ復号と共に、受信側装置１０ｅから送られている受信品質（ＳＩＲ）および受信品質変動量（Ｄ）も復号し、リソース割当制御部２０５へ入力する。リソース割当制御部２０５では図１４で示した処理を実行する。図１４に基づいてリソース割当制御部２０５の処理を次に説明する。
【００４６】
（ステップＳ２１）変調モードの選択
リソース割当処理が開始されると、まず、受信側装置より報告された受信品質ＳＩＲと、表１の所要ＳＮにより、所要ＳＮ＜ＳＩＲを満たす変調モード番号が最大の変調モードを選択し、その変調モード番号をＭとする。
【００４７】
（ステップＳ２２）フレーム割当
ついで、受信品質変動量に基づいてフレーム割当てを行う。すなわち、受信側装置Ａ，Ｂより報告された受信品質変動量を比較し、受信品質変動量の小さい受信側装置に対するパケットを、送信フレームに割当てる。
【００４８】
（ステップＳ２３）変調部と符号化部へ設定
ステップＳ２１で割当てられた受信側装置の送信データバッファ２０６のデータを送信するようにセレクタ２０７を設定する。また変調モードＭに応じて、符号化部２１０および変調部２１１へそれぞれ符号化レートおよび変調方式を設定する。また、ステップＳ２２で決定された送信電力Ｐ’を無線送信部２１２へ設定する。実施の形態５では、受信品質変動量に応じた変調モードの調整は必須ではないが、行ってもよい。
【００４９】
実施の形態５のような制御を行った場合には図１５に示すように、フレームＭでは、受信品質変動量が小さな受信側装置Ａに対してパケットを送信し、フレームＮでは、受信品質変動量の小さな受信側装置Ｂに対してパケット送信を行っている。受信品質変動量の小さな受信側装置に対してパケット送信を行うため、受信品質変動によるエラーのリスクを低減でき、システム全体のスループットを向上させることができる。
【００５０】
図１６では、一つの送信側装置で、複数の受信側装置（Ａ，Ｂ）にパケットサービスを行っている場合の受信品質変動量の変化の例を示している。図１６では、受信側装置Ａの受信品質変動量が増加した場合、比較的に受信品質変動量の小さい受信側装置Ｂへの無線リソース（パケット送信フレーム）を割当てている。このようにパケットを送信するフレームを割当てることにより、受信品質変動によるエラーのリスクを軽減し、全体としてのスループットが向上することになり、効率的な無線リソースの利用が可能となる。
【００５１】
＜変形例＞
以上、本発明によるいくつかの実施の形態について説明したが、上記で言及した以外にも、種々の変形、変更を行うことが可能である。
【００５２】
例えば、上記実施の形態４と５とを組み合わせた合成版も考えられる。つまり、実施の形態５では、１つのフレームに対して、１つの受信側装置を割当てているが、ＣＤＭＡ方式では、１つのフレーム内に符号多重することができるため、実施の形態４のように受信品質変動量に応じて送信電力を低減させた分を、他の受信側装置に割当てて、同時に符号多重することも考えられる。
【００５３】
また、実施の形態４，５では、送信側装置のリソース制御部２０５の処理にて変調モードの決定（図９，図１４のステップＳ１１、Ｓ２１の処理）を行っているが、この処理を予め受信側装置でおこない、受信品質の代わりに変調モード番号を送信側装置に通知することも考えられる。
【図面の簡単な説明】
【００５４】
【図１】適応変調制御の遅延と受信品質の変動の様子を模式的に示した図である。
【図２】本発明の実施の形態１のシステム構成を示すブロック図である。
【図３】本発明の実施の形態２のシステム構成を示すブロック図である。
【図４】本発明の実施の形態３のシステム構成を示すブロック図である。
【図５】実施の形態３におけるフェージング周波数検出部によるフェージング周波数の測定方法の説明図である。
【図６】実施の形態３に関連して、パス毎の受信品質の変化と、２つのパスを合成した後の受信品質の変化を示した図である。
【図７】図６に関連して、１つのパスのみの受信品質の変動と２つのパスを合成した後の受信品質の変動の様子を示した図である。
【図８】本発明の実施の形態４のシステム構成を示すブロック図である。
【図９】実施の形態４におけるリソース割当制御部の動作を示すフローチャートである。
【図１０】送信パケットと、受信品質変動量の変化の例を示す図である。
【図１１】実施の形態４におけるリソース割当の結果の一例を示す図である。
【図１２】本発明の実施の形態５のシステム構成を示すブロック図である。
【図１３】一つの送信側装置が複数の受信側装置に対してパケットサービスを行うシステム構成を示す図である。
【図１４】実施の形態５におけるリソース割当制御部の動作を示すフローチャートである。
【図１５】実施の形態５におけるリソース割当の結果の一例を示す図である。
【図１６】一つの送信側装置で、複数の受信側装置（Ａ，Ｂ）にパケットサービスを行っている場合の受信品質変動量の変化の例を示す図である。
【符号の説明】
【００５５】
１０ａ…受信側装置、  ２０ａ…送信側装置、１０１…アンテナ、１１３…アンテナ共用部、１０２…受信無線部、１０３…復調部、１０４…復号部、１０６…受信品質測定部、１０７…受信品質変動量測定部、１０８…変調モード選択部、１０９…フェージング周波数検出部、１１０…送信フレーム生成部、１１１…変調部、２０１…アンテナ、２０２…受信無線部、２０３…復調部、２０４…復号部、２０５…リソース割当制御部、２０６…送信データバッファ、２０７…セレクタ、２０８…変調モード選択部、２１０…符号化部、２１１…変調部、２１２…送信無線部、２１３…アンテナ共用部
【図１】
2005136773.tif 000007
【図２】
2005136773.tif 000008
【図３】
2005136773.tif 000009
【図４】
2005136773.tif 000010
【図５】
2005136773.tif 000011
【図６】
2005136773.tif 000012
【図７】
2005136773.tif 000013
【図８】
2005136773.tif 000014
【図９】
2005136773.tif 000015
【図１０】
2005136773.tif 000016
【図１１】
2005136773.tif 000017
【図１２】
2005136773.tif 000018
【図１３】
2005136773.tif 000019
【図１４】
2005136773.tif 000020
【図１５】
2005136773.tif 000021
【図１６】
2005136773.tif 000022